(57)【要約】【課題】就寝中に剥がれることがなく高い保温性を有する寝具を提供することを目的とする。【解決手段】寝具１０は、内部に空気が充填されることで第１の空気層Ａ１が形成される保温部２５と、保温部２５と使用者との間に第２の空気層Ａ２が形成させるように使用者を取り囲んだ状態に保温部２５を支持するフレーム部３０と、を有する。また、保温部２５は、使用者を側方から覆う側方部２６と、使用者を上方から覆う上方部２７と、を有し上方部２７の少なくとも一部が開口可能である。【選択図】図２
2016016294.tif 000002
【特許請求の範囲】
【請求項１】
内部に空気が充填されることで第１の空気層が形成される保温部と、
前記保温部と使用者との間に第２の空気層が形成させるように使用者を取り囲んだ状態に前記保温部を支持するフレーム部と、を有することを特徴とする寝具。
【請求項２】
前記保温部は、使用者を側方から覆う側方部と、使用者を上方から覆う上方部と、を有し、
前記上方部の少なくとも一部が開口可能であることを特徴とする請求項１に記載の寝具。
【請求項３】
前記保温部は、使用者を側方から覆う側方部と、使用者を上方から覆う上方部と、を有し、
前記側方部は、下端に沿って内部に空気が充填される拡張部を有し、
前記フレーム部は、前記拡張部により拡張される前記側方部の高さに応じて、高さ調整が可能であることを特徴とする請求項１に記載の寝具。
【発明の詳細な説明】
【技術分野】
【０００１】
本発明は、保温性に優れた寝具に関するものである。
【背景技術】
【０００２】
従来から就寝時の寝具には様々なものが用いられている。例えば、特許文献１には内部に羽毛が充填された羽毛布団が開示されている。一般的に羽毛布団のように内部に空気層を形成することで高い保温性を有することが知られている。
【先行技術文献】
【特許文献】
【０００３】
【特許文献１】実開平６−７５２６８号公報
【発明の概要】
【発明が解決しようとする課題】
【０００４】
しかしながら、羽毛布団などの掛け布団は、就寝中に寝返りや無意識により使用者が剥いでしまうことがある。このような場合、逆に人体を冷やしてしまうという問題がある。一方、人体を包むような寝袋を用いることで寝具が剥がれることを防止できるものの、圧迫感を感じる場合があり寝心地に影響を与えてしまうことがある。
本発明は、上述したような問題点に鑑みてなされたものであり、就寝中に剥がれることがなく高い保温性を有する寝具を提供することを目的とする。
【課題を解決するための手段】
【０００５】
本発明の寝具は、内部に空気が充填されることで第１の空気層が形成される保温部と、前記保温部と使用者との間に第２の空気層が形成させるように使用者を取り囲んだ状態に前記保温部を支持するフレーム部と、を有することを特徴とする。
また、前記保温部は、使用者を側方から覆う側方部と、使用者を上方から覆う上方部と、を有し、前記上方部の少なくとも一部が開口可能であることを特徴とする。
また、前記保温部は、使用者を側方から覆う側方部と、使用者を上方から覆う上方部と、を有し、前記側方部は、下端に沿って内部に空気が充填される拡張部を有し、前記フレーム部は、前記拡張部により拡張される前記側方部の高さに応じて、高さ調整が可能であることを特徴とする。
【発明の効果】
【０００６】
本発明によれば、就寝中に剥がれることがなく高い保温性を有する寝具を提供することができる。
【図面の簡単な説明】
【０００７】
【図１】第１の実施形態に係る寝具１０の構成を示す斜視図である。
【図２】寝具１０を使用者の腕側から見た断面図である。
【図３】寝具１０を使用者の頭側から見た断面図である。
【図４】第２の実施形態に係る寝具５０の構成を示す斜視図である。
【図５】第３の実施形態に係る保温部７５の構成を示す斜視図である。
【図６】寝具７０の断面図である。
【発明を実施するための形態】
【０００８】
以下、本発明に係る実施形態について図面を参照して説明する。
（第１の実施形態）
図１は、第１の実施形態に係る寝具１０の構成を示す斜視図である。図２および図３は、使用者が寝具１０を用いて就寝した状態を示す断面図である。図２は仰向けで就寝している使用者の腕側から見た寝具１０の断面図であり、図３は使用者の頭側から見た寝具１０の断面図である。
【０００９】
本実施形態の寝具１０は、敷具２０、保温部２５、フレーム部３０、閉塞部４０を備えている。
敷具２０は床面上やベッド上に設置され、横たわる使用者を支持する。敷具２０には例えば、マットレスや敷き布団などを用いることができる。
【００１０】
保温部２５は、複数の包囲部材から構成され、敷具２０上に横たわる使用者との間で離れた状態で取り囲むように配置される。具体的には保温部２５は、敷具２０上に横たわる使用者を側方から覆う側方部２６と、使用者を上方から覆う上方部２７とを有する。
本実施形態の側方部２６は、第１側方部２６ａ〜第３側方部２６ｃにより構成される。第１側方部２６ａおよび第２側方部２６ｂは横たわる使用者を両側から覆い、第３側方部２６ｃは横たわる使用者を足側から覆う。保温部２５は、下方が開放されると共に、第３側方部２６ｃに対向する側が使用者の頭を露出できるように開放される。
【００１１】
第１側方部２６ａ、第２側方部２６ｂ、第３側方部２６ｃおよび上方部２７の各境界は隙間が生じずに屈曲した状態で接続される。なお、各境界の接続が解除できるように面ファスナーやスライドファスナーなどを用いることができる。
第１側方部２６ａ、第２側方部２６ｂ、第３側方部２６ｃおよび上方部２７は、それぞれ独立して内部に空気が充填されることで、第１の空気層Ａ１が形成される。具体的に、第１側方部２６ａ、第２側方部２６ｂ、第３側方部２６ｃおよび上方部２７は、例えばポリ塩化ビニル（ＰＶＣ）で構成されるエアーマットを用いることができ、図示しない吐出孔を介して空気の充填および吐出を行うことができる。
【００１２】
また、側方部２６は、第１側方部２６ａ〜第３側方部２６ｃのそれぞれ下端に沿って折込部２９が一体で形成されている。各折込部２９は、第１側方部２６ａ〜第３側方部２６ｃとの境界で屈曲可能である。
また、上方部２７は、一部ここでは横たわる使用者の頭側が上側に向かって回動できる回動部２８を有している。回動部２８を回動させることで上方部２７の一部が開口される。
【００１３】
フレーム部３０は、複数の枠部材から構成され、横たわる使用者を取り囲んだ状態に保温部２５を支持する。フレーム部３０は、使用者と保温部２５とが接触しないように保温部２５を支持することで、使用者と保温部２５との間に第２の空気層Ａ２を形成する。具体的には、フレーム部３０は脚部３１と、懸架部３３とを有している。
本実施形態の脚部３１は、例えばアルミニウム合金などで中空管状の脚部材３２ａ〜３２ｄにより構成される。各脚部材３２ａ〜３２ｄは敷具２０上に立設される。本実施形態の脚部材３２ａ〜３２ｄの高さは、第１側方部２６ａ〜第３側方部２６ｃの高さと略同じまたは敷具２０の厚み分だけ低く設定される。なお、各脚部材３２ａ〜３２ｄはそれぞれ中空管を二重に構成することで伸縮可能であって、図示しない固定ピンを脚部材３２ａ〜３２ｄの水平方向に差し込むことで段階的に所定の高さに固定される。
【００１４】
本実施形態の懸架部３３は、例えばアルミニウム合金などの中空管状の懸架部材３４ａ〜３４ｄにより構成される。懸架部材３４ａは脚部材３２ａと脚部材３２ｂとの間に架け渡され、懸架部材３４ｂは脚部材３２ｃと脚部材３２ｄとの間に架け渡される。また、懸架部材３４ｃは脚部材３２ｂと脚部材３２ｄとの間に架け渡される。また、懸架部材３４ｄは懸架部材３４ａの中央と懸架部材３４ｂの中央との間に架け渡される。各懸架部材３４ａ〜３４ｄの長さは、第１側方部２６ａ、第２側方部２６ｂ、第３側方部２６ｃおよび上方部２７の大きさに合わせて設定される。
【００１５】
閉塞部４０は、第１側方部２６ａ〜第３側方部２６ｃによって覆われていない、第３側方部２６ｃに対向する開口を閉塞する。閉塞部４０により開口を閉塞することで、保温部２５内に形成される第２の空気層Ａ２を閉鎖することができる。したがって、第２の空気層Ａ２に対する空気の出入りがなくなり、内部の対流がなくすことができる。
本実施形態の閉塞部４０は、例えばタオルケット、毛布、薄掛け布団などにより構成される。閉塞部４０は、第１側方部２６ａ、第２側方部２６ｂおよび上方部２７に重なり合う重なり部材４１と、第３側方部２６ｃに対向する開口を閉塞する閉塞部材４２とが一体で形成される。閉塞部材４２は、使用者の頭を露出できるように切込部４３が形成される。
【００１６】
図２および図３に示すように、第１の空気層Ａ１を形成した保温部２５は、フレーム部３０によって使用者との間に第２の空気層Ａ２を形成するように支持される。したがって、第１の空気層Ａ１および第２の空気層Ａ２による二重の空気層によって寝具１０の保温性を向上させることができる。
また、保温部２５は横たわる使用者との間に離れた状態で配置されていることから使用者が就寝中に寝返りなどで保温部２５を剥いでしまうことを防止することができる。
【００１７】
また、第３側方部２６ｃに対向する開口は、切込部４３が形成された閉塞部材４２によって閉塞される。したがって、第２の空気層Ａ２を閉鎖した状態のまま、使用者が切込部４３から頭を外部に露出させることができる。このとき、使用者と接触する閉塞部材４２は、タオルケット、毛布、薄掛け布団などにより構成されるために、寝心地が低下することを防止できる。
【００１８】
また、上方部２７のうち回動部２８を回動させることで上方部２７の一部を開口可能にできるので、使用者が容易に上半身を起こすことができる。すなわち、使用者は上方部２７の開口させる部分から容易に就寝したり起床したりすることができる。
また、図２および図３に示すように、第１側方部２６ａ〜第３側方部２６ｃのそれぞれ下端に沿って形成された折込部２９を、敷具２０と、床面またはベッドとの間に挟み込みように折り曲げることで、第１側方部２６ａ〜第３側方部２６ｃの下端と敷具２０との隙間から第２の空気層Ａ２に空気が出入りすることを防止することができ、更に寝具１０の保温性を向上させることができる。
【００１９】
また、使用者は、保温部２５の内部に空気を充填し、空気が充填された保温部２５をフレーム部３０に沿って配置するだけで簡単に寝具１０の組み立ておよび設置を行うことができる。また、使用者は、保温部２５に充填された空気を外部に吐出させ、フレーム部３０の連結を解除することで、簡単に寝具１０を片付けることができる。したがって、災害現場や避難場所の応急寝具に用いることができる。
【００２０】
このように、本実施形態の寝具１０によれば、就寝中に剥がれることがなく高い保温性を有している。また、本実施形態の寝具１０の保温部２５は使用者との間で離れているので使用者に圧迫感を与えることなく、好適な寝心地を提供することができる。特に、手術後の入院患者には、寝具の重みによる不具合を解消することができる。
また、本実施形態の寝具１０は、敷具２０、保温部２５、フレーム部３０、閉塞部４０などの個々の構成部材は比較的に単純な構成であるために製造コストを削減することができる。
【００２１】
なお、上述した実施形態では、閉塞部４０は保温部２５と異なる構成である場合について説明したが、閉塞部４０は保温部２５の上述した各包囲部材と同様に構成することができる。この場合、閉塞部４０にも第１の空気層Ａ１が形成されることから更に保温性を向上させることができる。ただし、閉塞部４０は使用者と接触することから、閉塞部材４２の表面を、例えばベルベットなどにして肌触りを向上させると共に、厚みを薄くすることが好ましい。
【００２２】
また、上述した実施形態の寝具１０は保温性を有するために冬期に用いられるのに適しているが、夏期にも用いることができる。この場合、図２に示すように、使用者の頭と対向する位置である第３側方部２６ｃに、開閉可能な通気孔３５を設けることができる。通気孔３５を開放することで、閉塞部材４２と使用者の間の隙間から、通気孔３５までの間で対流が発生することから、第２の空気層Ａ２の効果が減少する。したがって、夏期に用いる場合でも、快適な睡眠環境を提供することができると共に、夏期の寝冷えを防止することができる。
【００２３】
（第２の実施形態）
次に、第２の実施形態の寝具５０について図４を参照して説明する。図４は、第２の実施形態の寝具５０の斜視図である。なお、第１の実施形態と同様の構成は同一符号を付して、その説明を省略する。
【００２４】
本実施形態の寝具５０は、敷具２０、保温部２５、フレーム部３０、頭部保温部５５、閉塞部６０を備えている。
頭部保温部５５は、複数の包囲部材から構成され、保温部２５から露出された使用者の頭を側方から取り囲むように配置される。具体的には、頭部保温部５５は、第４側方部５６ａ〜第６側方部５６ｃにより構成される。第４側方部５６ａおよび第５側方部５６ｂは使用者の頭を両側から覆い、第６側方部５６ｃは使用者を頭側から覆う。
【００２５】
第４側方部５６ａ〜第６側方部５６ｃの各境界は隙間が生じずに屈曲した状態で接続される。第４側方部５６ａ〜第６側方部５６ｃは、それぞれ独立して内部に空気が充填されることで、第１の空気層Ａ１が形成される。具体的に、第４側方部５６ａ〜第６側方部５６ｃは、例えばポリ塩化ビニル（ＰＶＣ）で構成されるエアーマットを用いることができ、図示しない吐出孔を介して空気の充填および吐出を行うことができる。
また、第４側方部５６ａおよび第５側方部５６ｂは、それぞれ第１側方部２６ａおよび第２側方部２６ｂとの間に隙間が生じないようにスライドファスナーなどを用いて接続される。
【００２６】
閉塞部６０は、第４側方部５６ａ〜第６側方部５６ｃによって覆われていない、使用者の頭の上方を閉塞する。閉塞部６０には、例えば網状の部材を用いることで、寝具５０を屋外で用いたときの防虫効果を有する。
【００２７】
このように、本実施形態の寝具５０によれば、頭部保温部５５によって使用者の頭も覆うことができることから、更に保温性を向上させることができる。また、使用者は保温部２５、頭部保温部５５および閉塞部６０によって覆われることから、避難場所の応急寝具に用いた場合にはプライバシーを保護することができる。
【００２８】
（第３の実施形態）
次に、第３の実施形態の寝具７０について図５および図６を参照して説明する。図５は、第３の実施形態に係る保温部７５を示す斜視図である。なお、第１の実施形態と同様の構成は同一符号を付して、その説明を省略する。
【００２９】
図５に示すように、本実施形態の保温部７５は第１の実施形態と同様、第１側方部７６ａ〜第３側方部７６ｃ、上方部２７を有している。
第１側方部７６ａ〜第３側方部７６ｃは、それぞれ下端に沿って拡張部７７が一体で形成されている。本実施形態の拡張部７７は、第１拡張部材７７ａ〜第３拡張部材７７ｃにより構成される。各拡張部材７７ａ〜７７ｃは、それぞれ独立して内部に空気が充填されることで、第１の空気層Ａ１が形成される。具体的に、第１拡張部材７７ａ〜第３拡張部材７７ｃは、例えばポリ塩化ビニル（ＰＶＣ）で構成されるエアーマットを用いることができ、図示しない吐出孔を介して空気の充填および吐出を行うことができる。
【００３０】
したがって、本実施形態の第１側方部７６ａ〜第３側方部７６ｃは、拡張部７７の内部に空気を充填させることで高さの変更が可能である。例えば、使用者は各第１拡張部材７７ａに空気を充填することで第１側方部７６ａ〜第３側方部７６ｃを所定の高さだけ高くでき、更に各第２拡張部材７７ｂ、各第３拡張部材７７ｃに空気を充填することで段階的に高くすることができる。一例として、拡張部７７を除いた第１側方部７６ａ〜第３側方部７６ｃの高さを５０ｃｍとし、第１拡張部材７７ａ〜第３拡張部材７７ｃの各高さを２０ｃｍとすることができる。したがって、一例では、第１側方部７６ａ〜第３側方部７６ｃを最大で１１０ｃｍの高さまで拡張することができる。
【００３１】
一方、上述したようにフレーム部３０の各脚部材３２ａ〜３２ｄは段階的に高さ調整可能であることから、使用者は各脚部材３２ａ〜３２ｄを拡張部７７により拡張した高さに応じて伸張させる。
図６は、使用者が第１側方部７６ａ〜第３側方部７６ｃを拡張させた状態を示す断面図である。図６に示すように、伸張された各脚部材３２ａ〜３２ｄによってフレーム部３０は、拡張された保温部７５を支持することができる。したがって、寝具７０によれば第２の空気層Ａ２を広く構成できるので、例えば使用者は敷具２０上に着座することができる。
このとき、第３拡張部材７７ｃの下端は、敷具２０に至るまで垂下している。したがって、第２の空気層Ａ２に空気が出入りすることが防止される。
【００３２】
このように、本実施形態の寝具７０によれば、保温部７５の高さを容易に拡張することができることから、寝具７０を簡易的な個室として用いることができる。したがって、避難場所に用いた場合には簡単にプライベート空間を形成することができる。
なお、第１拡張部材７７ａ〜第３拡張部材７７ｃに空気を充填させない場合には、第１の実施形態のように敷具２０と床面とを間に挟み込ませる折込部２９として機能させることができる。
また、寝具７０では、第３側方部７６ｃに対向した開口を閉塞する閉塞部４０に代えて、第４側方部を着脱自在に設けてもよい。第４側方部を装着させることで、更に第２の空気層Ａ２の保温性を向上させることができる。
【００３３】
以上、本発明を種々の実施形態と共に説明したが、本発明はこれらの実施形態にのみ限定されるものではなく、本発明の範囲内で変更などが可能であり、上述した実施形態を適時組み合わせてもよい。
上述した実施形態では、フレーム部３０の脚部３１や懸架部３３が、例えばアルミニウム合金などで中空管状の部材からなる場合について説明したが、この場合に限られない。例えば、フレーム部３０は、例えばポリ塩化ビニル（ＰＶＣ）で構成し、内部に空気を充填することである程度の剛性が確保され、保温部を支持できるようにしてもよい。この場合、フレーム部３０は懸架部３３を省略して、脚部３１のみで構成してもよい。また、保温部のみで使用者を取り囲んだ状態にする場合、フレーム部３０を省略してもよい。
上述した実施形態では、寝具として説明したが、簡易的な個室装置として構成することができる。
【符号の説明】
【００３４】
１０：寝具  ２０：敷具  ２５：保温部  ２６：側方部  ２７：上方部  ２８：回動部  ２９：折込部  ３０：フレーム部  ３１：脚部  ４０：閉塞部  ５０：寝具  ５５：頭部保温部  ６０：閉塞部  ７０：寝具  ７７：拡張部
【図１】
2016016294.tif 000003
【図２】
2016016294.tif 000004
【図３】
2016016294.tif 000005
【図４】
2016016294.tif 000006
【図５】
2016016294.tif 000007
【図６】
2016016294.tif 000008